【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
複数のフォーマット選択画面よりなるプリンタ操作用画像と、該複数のフォーマットに対応する実画像とを記憶する記憶手段と、
前記プリンタ操作用画像をデジタルカメラに出力する出力手段と、
該出力手段によって出力されたプリンタ操作用画像を表示するデジタルカメラの表示手段と、
該デジタルカメラに記憶する写真画像を読み出す読出し制御手段と、
前記複数のフォーマット選択画面から所望のフォーマットを選択し、前記デジタルカメラから所望の写真画像を選択する選択手段と、
該選択手段で選択したフォーマットに対応する実画像を前記記憶手段から読み出し、該選択手段で選択した写真画像を前記読出し制御手段によって前記デジタルカメラから読み出し、両データから印刷画像を作成する印刷画像作成手段と、該印刷画像作成手段で作成した画像を記録紙に印刷する印刷手段と、
を有することを特徴とする印刷システム。
【請求項２】
前記プリンタ操作用画像は圧縮データであり、デジタルカメラ内でデータ伸長された後、前記表示手段に表示することを特徴とする請求項１記載の印刷システム。
【請求項３】
前記デジタルカメラの表示手段には前記複数のフォーマットを記号で表示することを特徴とする請求項１記載の印刷システム。
【請求項４】
前記デジタルカメラの表示手段には前記写真画像を記号で表示することを特徴とする請求項１記載の印刷システム。
【請求項５】
前記プリンタ操作用画像は、前記記録紙に写真画像を印刷する際のレイアウト画像であることを特徴とする請求項１記載の印刷システム。
【請求項６】
前記プリンタ操作用画像は、カレンダーを含む選択用画像であることを特徴とする請求項１記載の印刷システム。
【請求項７】
前記プリンタ操作用画像は、カード画像を含む選択用画像であることを特徴とする請求項１記載の印刷システム。
【請求項８】
前記プリンタ操作用画像は、ミニラベル印刷用画像を含む選択画像であることを特徴とする請求項１記載の印刷システム。
【請求項９】
前記プリンタ操作用画像は、イラスト合成用画像であることを特徴とする請求項１記載の印刷システム。
【請求項１０】
前記プリンタ操作用画像は、一覧印刷用画像であることを特徴とする請求項１記載の印刷システム。
【請求項１１】
レンズ装置により撮影されて結ばれる光像に基づいて光電変換した画像電気信号をデジタル信号に変換し、該デジタル信号を写真画像データとして画像メモリに記憶し、該画像メモリの出力を一時的に表示用メモリに記憶して、該表示用メモリの写真画像データを表示手段に表示すると共に、外部に接続される印刷装置との間で制御信号及び前記写真画像データを送受信する通信手段と制御手段とを備えて写真画像をデジタル画像データとして記憶し再生するデジタルカメラに前記通信手段を介して接続される前記印刷装置であって、
複数のフォーマット選択画面よりなるプリンタ操作用画像と、該複数のフォーマットに対応する実画像とを記憶する記憶手段と、
前記プリンタ操作用画像を前記デジタルカメラに出力し該デジタルカメラの表示手段に表示させる出力手段と、
該デジタルカメラに記憶された写真画像の読み出しを指示する読出し制御手段と、
前記複数のフォーマット選択画面から所望のフォーマットを選択し、前記デジタルカメラに所望の写真画像を選択させる選択手段と、
該選択手段で選択したフォーマットに対応する実画像を前記記憶手段から読み出し、該選択手段で選択した写真画像を前記読出し制御手段によって前記デジタルカメラから読み出し、両データから印刷画像を作成する印刷画像作成手段と、
該印刷画像作成手段で作成した画像を記録紙に印刷する印刷手段と、
を有することを特徴とする印刷装置。
【請求項１２】
前記記憶手段に記憶される実画像は圧縮データであり、前記印刷画像作成手段は前記実画像を伸長処理することを特徴とする請求項１１記載の印刷装置。
【請求項１３】
前記デジタルカメラから読み出される写真画像は圧縮データであり、前記印刷画像作成手段は前記写真画像を伸長処理することを特徴とする請求項１１記載の印刷装置。
【請求項１４】
前記プリンタ操作用画像は、前記記録紙に写真画像を印刷する際のレイアウト画像であることを特徴とする請求項１１記載の印刷装置。
【請求項１５】
前記プリンタ操作用画像は、カレンダーを含む選択用画像であることを特徴とする請求項１１記載の印刷装置。
【請求項１６】
前記プリンタ操作用画像は、カード画像を含む選択用画像であることを特徴とする請求項１１記載の印刷装置。
【請求項１７】
前記プリンタ操作用画像は、ミニラベル印刷用画像を含む選択画像であることを特徴とする請求項１１記載の印刷装置。
【請求項１８】
前記プリンタ操作用画像は、イラスト合成用画像であることを特徴とする請求項１１記載の印刷装置。
【請求項１９】
前記プリンタ操作用画像は、一覧印刷用画像であることを特徴とする請求項１１記載の印刷装置。
【請求項２０】
記録モードにおいて表示手段に撮影中の静止画像データを表示するファインダー機能と、再生モードにおいて前記表示手段に撮影記録済みの静止画像データを表示するモニター機能とを有するデジタルカメラを外部装置とし、前記デジタルカメラから撮影記録済みの画像データの転送を受けて印刷する印刷装置であって、
印刷操作に必要とする操作表示データを記憶する記憶手段と、
この記憶手段に記憶された前記操作表示データを前記デジタルカメラに転送し、前記デジタルカメラに対して前記表示手段に表示させるように制御する制御手段とを備えることを特徴とする印刷装置。
【請求項２１】
前記印刷手段は、データを表示するための表示手段を備えていないことを特徴とする印刷装置。
【請求項２２】
複数のフォーマット選択画面よりなるプリンタ操作用画像と、該複数のフォーマットに対応する実画像とを記憶する記憶手段と、
前記プリンタ操作用画像をデジタルカメラに出力する出力手段と、
該出力手段によって出力されたプリンタ操作用画像を表示するデジタルカメラの表示手段と、
該デジタルカメラに記憶する写真画像を読み出す読出し制御手段と、
前記複数のフォーマット選択画面から所望のフォーマットを選択し、前記デジタルカメラから所望の写真画像を選択する選択手段と、
該選択手段で選択したフォーマットに対応する実画像を前記記憶手段から読み出し、該選択手段で選択した写真画像を前記読出し制御手段によって前記デジタルカメラから読み出し、両データから印刷画像を作成する印刷画像作成手段と、
該印刷画像作成手段で作成した画像を記録紙に印刷する印刷手段と、
を有することを特徴とするデジタルカメラシステム。
【請求項２３】
レンズ装置により撮影されて結ばれる光像に基づいて光電変換した画像電気信号をデジタル信号に変換し、該デジタル信号を写真画像データとして画像メモリに記憶し、該画像メモリの出力を一時的に表示用メモリに記憶して、該表示用メモリの写真画像データを表示手段に表示すると共に、外部に接続される印刷装置との間で制御信号及び前記写真画像データを送受信する通信手段と制御手段とを備えて写真画像をデジタル画像データとして記憶し再生するデジタルカメラに前記通信手段を介して接続されるデジタルカメラシステムの印刷方法であって、
複数のフォーマット選択画面よりなるプリンタ操作用画像と、該複数のフォーマットに対応する実画像とを記憶し、
前記プリンタ操作用画像を前記デジタルカメラに出力し該デジタルカメラの表示手段に表示させ、
該デジタルカメラに記憶された写真画像の読み出しを指示し、
前記複数のフォーマット選択画面から所望のフォーマットを選択し、前記デジタルカメラに所望の写真画像を選択させ、
選択したフォーマットに対応する実画像を前記記憶手段から読み出し、該選択手段で選択した写真画像を前記読出し制御手段によって前記デジタルカメラから読み出し、両データから印刷画像を作成し、
該印刷画像作成手段で作成した画像を記録紙に印刷する
ことを特徴とする印刷方法。
【請求項２４】
記録モードにおいて表示手段に撮影中の静止画像データを表示するファインダー機能と、再生モードにおいて前記表示手段に撮影記録済みの静止画像データを表示するモニター機能とを有するデジタルカメラを外部装置とし、前記デジタルカメラから撮影記録済みの画像データの転送を受けて印刷するデジタルカメラシステムであって、
印刷操作に必要とする操作表示データを記憶する記憶手段と、
この記憶手段に記憶された前記操作表示データを前記デジタルカメラに転送し、前記デジタルカメラに対して前記表示手段に表示させるように制御する制御手段と、
を備えることを特徴とするデジタルカメラシステム。